(57)【要約】【課題】両面式伸縮調整可能であり、多功能であるテレビを提供する。【解決手段】伸縮角度調整装置２０は、後末端がアーム支え台１０に枢接され、前末端が自由で伸び縮み可能であると共に角度を色々変えられて、位置を変化可能である。支え装置３０は、下末端が伸縮角度調整装置２０の前末端と枢接され、上末端がＵ字型枠３２と固接されているアーム３１とＵ字型枠３２とで構成されている。テレビ本体４０は、Ｕ字型枠３２の内側空間に置かれてＵ字型枠３２の両側の直立棹に枢接され、前面にＬＣＤスクリーン４２と、裏面に鏡と照明具を持っている。第一アーム２１と第二アーム２２とを相互に動かし、更に、第一アーム２１とアーム支え台１０とを相互に動かせば、テレビ本体４０の位置を前後に移動でき、角度も変換できる。【選択図】図２
0003128064.tif 000002
【実用新案登録請求の範囲】
【請求項１】
壁面等に固設可能なアーム支え台と、
後末端が前記アーム支え台に枢接され、前末端が自由で伸び縮み可能であると共に角度を色々変えられて、位置を変化可能な伸縮角度調整装置と、
下末端が前記伸縮角度調整装置の自由な前記前末端と枢接され、上末端がＵ字型枠と固接されているアームと前記Ｕ字型枠とで構成されている支え装置と、
前記支え装置の前記Ｕ字型枠の内側空間に置かれて前記Ｕ字型枠の両側の直立棹に枢接され、前面にテレビ信号を受信可能なＬＣＤスクリーンと、裏面に鏡と照明具を持っているテレビ本体と、を備えることを特徴とするテレビ。
【請求項２】
前記伸縮角度調整装置は、第一アームと第二アームとで構成され、前記第一アームの後末端は前記アーム支え台と枢接され、前末端は前記第二アームの後末端と枢接されていることを特徴とする請求項１記載のテレビ。
【請求項３】
前記Ｕ字型枠は、直立両面部に各しめ付けボタンが設置され、前記テレビ本体の両側を支えていることを特徴とする請求項１記載のテレビ。
【請求項４】
前記鏡の上に更に凸面鏡が付設されていることを特徴とする請求項１記載のテレビ。
【請求項５】
前記照明具は、ＬＥＤであり、更にスイッチが前記ＬＥＤに連接され、点滅がコントロールされることを特徴とする請求項１記載のテレビ。
【考案の詳細な説明】
【技術分野】
【０００１】
本考案は、テレビの功能と設置角度に関するものである。
【背景技術】
【０００２】
従来のＬＣＤテレビは、ＬＣＤスクリーン１と外殻２と支え台３とで組み付けられて構成され、ＬＣＤスクリーン１は外殻２の予定された開き口にはめ付けられ、又、外殻２は支え台３に枢接して支えられている。
【考案の開示】
【考案が解決しようとする課題】
【０００３】
本考案は、従来の前面のＬＣＤスクリーンでテレビを見る外に、さらに別の功能、例えば、鏡を付けると共にテレビの外殻を前面と裏面とに相互に自由に転換できる様にする。更に、テレビの角度を調整と位置で前後に伸縮できる様にすることを本考案の課題とする。
【課題を解決するための手段】
【０００４】
テレビ本体の位置を前後に移動させられる様にアーム支え台を壁面に固接できる様にし、更に、第一アームと第二アームとを枢接させ、第一アームの後末端をアーム支え台に枢接させて構成される伸縮角度調整装置を設ける。更に、テレビ本体を支えて前面と裏面が自由に転換できる様にＵ字型枠の直立両側棹に各しめ付けボタンでテレビ本体の両側を支えて、テレビ本体が転換できる様にする。更に、支えアームでＵ字型枠を支えて、且つ支えアームの下末端を第二アームの前末端に枢接させて、第一アームと第二アームを相互に湾曲させ、テレビ本体の位置をより前方かより後方に移動させられる様にする。更に、テレビ本体の裏面に鏡を加設して、お化粧をする功能を増加する。
【考案を実施するための最良の形態】
【０００５】
本考案の第一実施例によるテレビは、図２と図３に示すように、アーム支え台１０と、伸縮角度調整装置２０と、支え装置３０と、テレビ本体４０とで組み合わせて構成される。
アーム支え台１０は、予定の位置に設けられている複数の固定孔１１を持ち、複数のねじ１２が固定孔１１にさしこまれて壁面等に固定される。更に、アーム支え台１０の表向きのほぼ中央部にピボット支え金具１３が固く連結している。
【０００６】
次に、伸縮角度調整装置２０は、第一アーム２１と第二アーム２２とで形成され、第一アーム２１の後端は前記ピボット支え金具１３に枢接され、その前端は第二アームの後端と枢接されている。
次に、支え装置３０は、支えアーム３１とＵ字型枠３２とで構成され、支えアーム３１は下末端が前に述べた第二アーム２２の前端と枢接され、その上末端はＵ字型枠３２の下ロッドの中央点と固く連結されている。更に、Ｕ字型枠３２の両側の直立ロッドの上端には横向きにしめ付けボタン３３が内側に向けて設置され、それでしめ付けボタン３３はテレビ本体の両側を支えていて、テレビ本体が自由に前面と裏面がひっくりかえる様にしている。
【０００７】
次に、テレビ本体４０は、支え装置３０のＵ字型枠３２の内側に設置され、その両側が上に述べた二個のしめ付けボタン３３に支えられている。テレビ本体４０は、外殻４１とＬＣＤスクリーン４２と、鏡４３と、照明具４４とで構成されて、ＬＣＤスクリーン４２は前面に設置され、鏡４３と照明具４４は裏面に設置されている。又、照明具４４にはスイッチ４４１を適当な個所に付けて、点滅を操作できる様にする。照明具４４はＬＥＤを使用することが好ましく、又、鏡４３には又更に一個の凸面鏡４５を付けることもできる。
【０００８】
本実施例のテレビを使用する時は、テレビ本体４０の前面のＬＣＤスクリーン４２を使用してテレビを見ることができる外、裏面の鏡４３を使用する時は、テレビ本体４０をひっくり返して、鏡４３を前の方に置けば、お化粧ができる。更に、ＬＣＤスクリーン４２の角度を調整したい時には、二個のしめ付けボタンをゆるめたり、固くしめ付けたりして調整することができる。その外、伸縮角度調整装置２０の第一アームと第二アーム２２とを相互に、更に、第一アーム２１とアーム支え台１０とを相互に動かせば、相互内の角度が調整されて、その結果、テレビ本体４０の位置を前後に移動でき、従って、角度も変換できる。
鏡４３を使用する時は、テレビ本体４０を１８０°に回転させればよく、又、光線が不足の場合は、スイッチ４４１をＯＮにすればよい。
【０００９】
次に、図４は、本考案の第二実施例を示し、第一実施例のテレビ本体４０とＵ字型枠３２と伸縮角度調整装置２０とを自動車の座席の頭もたせ５０の中に収納できる様にし、使用する時は、頭もたせ５０の中から外に引き出せる様に設置している。それで、第一実施例の中のアーム支え台１０は必要としない。
本実施例のテレビは、更に鏡を裏面に設置していて、テレビ本体を１８０度に回転させれば、テレビを見る外に鏡を使用でき、且つ光線が暗い時は、角に照明具を付けて明るくすることができる。又、テレビ本体の角度や位置を前後に移動させて調整できるため、浴室や寝室や台所や書斎や客室等に使用できる。
【図面の簡単な説明】
【００１０】
【図１】従来のテレビを示す斜視図である。
【図２】本考案の第一実施例によるテレビを示す斜視図である。
【図３】本考案の第一実施例によるテレビのＬＣＤスクリーンを鏡とひっくりかえた時の状態を示す斜視図である。
【図４】本考案の第二実施例によるテレビを示す斜視図である。
【符号の説明】
【００１１】
１０：アーム支え台、１１：固定孔、１２：ねじ、１３：ピボット支え金具、２０：伸縮角度調整装置、２１：第一アーム、２２：第二アーム、３０：支え装置、３１：支えアーム、３２：Ｕ字型枠、３３：しめ付けボタン、４０：テレビ本体、４１：外殻、４２：ＬＣＤスクリーン、４３：鏡、４４：照明具、４５：凸面鏡、４４１：スイッチ
【図１】
0003128064.tif 000003
【図２】
0003128064.tif 000004
【図３】
0003128064.tif 000005
【図４】
0003128064.tif 000006